(57)【特許請求の範囲】
【請求項１】
超音波を送受信する複数の超音波振動子が２次元に配列された超音波探触子と、前記２次元配列された複数の超音波振動子から同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、
超音波送受信毎に前記超音波の送受信方向を変更する手段と、前記送受信のビーム方向に応じて前記超音波振動子群の選択パターンを変更する手段とを備えたことを特徴とする超音波診断装置。
【請求項２】
超音波を送受信する複数の超音波振動子が２次元に配列された超音波探触子と、前記２次元配列された複数の超音波振動子から同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、
超音波送受信時に、前記超音波振動子配列面に対し傾斜した方向の超音波ビームライン上に位置する送波又は受波のフォーカス点から超音波振動子配列面へ下した垂線が前記超音波振動子配列面と交差する点を同心リングの中心となるよう前記同心リング状超音波振動子群を選択する手段と、前記受波フォーカス点の移動とともに前記同心リング状超音波振動子群の選択中心を移動する手段とを備えたことを特徴とする超音波診断装置。
【請求項３】
超音波を送受信する複数の超音波振動子が２次元に配列された超音波探触子と、前記２次元配列された複数の超音波振動子から同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、
送受信ビーム方向を送受信サイクル毎に所定角度ずつ変更する手段と、超音波送受信時に、前記超音波振動子配列面に対し傾斜した方向の超音波ビームライン上に位置する送波又は受波のフォーカス点から前記超音波振動子配列面へ下した垂線が前記超音波振動子配列面と交差する点を同心リングの中心として送受波時の前記同心リング状超音波振動子群を選択する手段と、前記超音波ビームライン上の受波フォーカス点の移動とともに前記リング状超音波振動子群の選択中心を移動する手段とを備えたことを特徴とする超音波診断装置。
【発明の詳細な説明】
【０００１】
【発明の属する技術分野】
本発明は、超音波診断装置に係り、特に２次元配列振動子を内蔵した超音波探触子(以下、２次元探触子という。)を用いて被検体内を３次元画像化することができる超音波診断装置に関するものである。
【０００２】
【従来の技術】
超音波診断装置は複数の振動子がアレー状に配列された超音波探触子(以下、１次元探触子という。)を用いる物が現在も主流をなしているが、最近、他のモダリティ、例えばＸ線ＣＴ装置やＭＲＩ装置の分野における３次元画像診断の有用性の認識が高まるにつれ、超音波画像診断の分野でも被検体内を３次元画像で表示し、診断に供する装置が研究・開発されている。超音波診断装置において３次元画像を得るための超音波ビームのスキャン方法には、超音波ビームのスキャン方向に交差する方向へ１次元探触子を手動または機械的に被検体の体表で移動する方法と、探触子を２次元化して被検体内を超音波ビームで電子的に３次元スキャンする方法とがあるが、前者は３次元計測のために凹凸のある被検体の体表で探触子を体表に接触させながら手動でまたは機械的に移動することが難しく、後者が有望視されている。
【０００３】
２次元探触子は従来の１次元アレー探触子の細長い棒状の振動子素子を長さ方向に複数に分割した構造となる、この２次元探触子を実際の医療診断に用いようとすると、振動子数が６４×６４個程度必要とされる。この場合、振動子数が４，０９６個にもなる。この２次元探触子で被検体内をセクタスキャン方式で３次元計測する場合、１本のビームを形成するために４，０９６個の振動子全てを駆動する。したがって４，０９６個の振動子の全てに遅延回路を設ける必要がある。このため，装置は大型化し、装置が高価になる。このために４，０９６個の振動子を間引いて２５６個の振動子で送受信する方法が提案されている。
【０００４】
また、遅延回路数(整相回路のチャンネル数と同義)を少なくするために、２次元探触子の振動子を同心円状に複数の振動子群を構成するようにし、振動子群の各群毎に同一遅延時間を与えて超音波の送受信を行うことが提案されている。これはフレネルリング束ね方式と称され、リニアスキャン方式には有効である。
【０００５】
【発明が解決しようとする課題】
心臓の検査に用いることが多いセクタスキャン型の探触子は、生体の肋骨の間から心臓にめがけて超音波ビームを送受信するために、探触子の送受信面積を大きくすることができない。また、２次元探触子は振動子をアレー状に配置した１次元探触子と比較し、振動子素子の大きさが当然に小さい。
【０００６】
したがって、遅延回路を少なくするために振動子を間引いて用いると、探触子の感度低下を招き、得られる信号のＳ／Ｎが低下し，画質も低下することとなる。そのために，単純には遅延回路を少なくすることはできない。
【０００７】
本発明は上記に鑑みてなされたもので、その第１の目的は、遅延回路数が少なくても２次元探触子を用いてＳ／Ｎの良い画像が得られるセクタスキャンの可能な超音波診断装置を提供することにある。
【０００８】
また、本発明の第２の目的は、２次元探触子を用いて被検体内を３次元セクタスキャンできる超音波診断装置を提供することにある。
【０００９】
さらに本発明の第３目的は２次元探触子を用いて被検体内を高速で３次元セクタスキャンできる超音波診断装置を提供することにある。
【００１０】
【課題を解決するための手段】
本発明は上記課題を解決するために、超音波を送受信する複数の超音波振動子が２次元に配列された超音波探触子と、同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、超音波送受信毎に前記超音波の送受信方向を変更する手段と、前記送受信のビーム方向に応じて前記超音波振動子群の選択パターンを変更する手段とを備えたことを特徴とするものである。
【００１１】
また、本発明は上記課題を解決するために、超音波を送受信する複数の超音波振動子が２次元に配列された超音波探触子と、同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、超音波送受信時に、前記超音波振動子配列面に対し傾斜した方向の超音波ビームライン上に位置する送波又は受波のフォーカス点から超音波振動子配列面へ下した垂線が前記超音波振動子配列面と交差する点を同心リングの中心となるよう前記同心リング状超音波振動子群を選択する手段と、前記受波フォーカス点の移動とともに前記同心リング状超音波振動子群の選択中心を移動する手段とを備えたことを特徴としている。
【００１２】
さらに本発明は上記課題を解決するために、超音波を送受信する複数の超音波振動子が２次元に配列された超音波探触子と、同心のリング状に複数の超音波振動子群を選択する選択手段と、前記超音波振動子群毎に異なる遅延時間を与えて送受信の超音波ビームを形成し、受信信号から超音波画像を形成する画像形成手段と、前記超音波画像を画像表示する表示手段とを備える超音波診断装置において、超音波の送受信方向を超音波配列振動子面の所定位置に固定して３次元方向へ設定する手段と、超音波送受信時に、前記超音波振動子配列面に対し傾斜した方向の超音波ビームライン上に位置する送波又は受波のフォーカス点から前記超音波振動子配列面へ下した垂線が前記超音波振動子配列面と交差する点を同心リングの中心として送受波時の前記同心リング状超音波振動子群を選択する手段と、前記超音波ビームライン上の受波フォーカス点の移動とともに前記リング状超音波振動子群の選択中心を移動する手段とを備えたことを特徴としている。
【００１３】
【発明の実施の形態】
以下，本発明の実施の形態を図面に基いて説明する。図８は本発明を実施するための超音波診断装置の全体構成を示すブロック図である。図において、１０は直交する２方向のそれぞれの方向へM個及びN個、すなわちＭ×Ｎ個の２次元配列振動子２０を有した２次元探触子で、２次元配列振動子２０を図には省略されたケースに収納すると共に、ケース内部に２次元配列振動子２０を超音波ビームの送受信サイクル毎に切換え選択するスイッチング回路部３０が収納されている。４０はスイッチ制御部で、前記スイッチング回路３０へ振動子選択のための信号を供給するものである。
【００１４】
５０は送信時と受信時とで信号の通過方向を変更する送受分離回路、６０は超音波を被検体内へ送信するために超音波振動子へ駆動信号を供給するための送波部で従来から公知のパルス発生回路と増幅回路と送信用遅延回路とを有している。７０は受波整相部で、被検体内に打ち出された超音波により被検体内で反射した反射波(エコー)が超音波振動子で電気的信号（エコー信号）に変換された信号を入力して、所定方向から受信したように超音波ビーム信号を形成して出力するもので、これも従来から公知の遅延回路と加算回路とで構成されている。８０は信号処理部で、前記受波整相部７０から出力されたエコー信号を画像化するための前処理として、対数変換処理、フィルタ処理、γ補正等を行うものである。
【００１５】
９０は信号処理部８０から超音波ビームの走査毎に出力されてくる信号を必要に応じてデジタル化して入力し蓄積し画像データを形成するとともに、画像表示装置の走査に応じて出力する、すなわち超音波走査と表示走査との走査変換を行うスキャンコンバータで、従来からこの分野においては、デジタルスキャンコンバータ（ＤＳＣ）として良く知られているものである。
【００１６】
１００は前記デジタルスキャンコンバータ９０から出力された画像データをＤ／Ａ変換して輝度信号へ変換し、画像として表示する表示装置であり、通常はＣＲＴモニタを有している。２００は上記の各構成要件を直接的又は間接的に制御して超音波の送受信と画像表示を行わせる中央演算ユニット（ＣＰＵ）である。
【００１７】
次に、上記構成の装置の動作を簡単に説明する。２次元探触子１０を被検体の検査部位の体表に当接し、図示を省略した操作盤から送波フォーカス深度等のスキャンパラメータを入力した後、超音波スキャン開始指令を入力する。すると、ＣＰＵ２００が各ユニットを制御し超音波スキャンを開始する。先ず、ＣＰＵ２００はスイッチ制御部４０及び送波部６０に対し、最初の送波における振動子の選択指令と、駆動パルス出力指令及び前記送波フォーカス深度に対応し遅延時間を設定する指令を出力する。これら指令が実行されると、送波部６０から駆動パルスが送波遅延回路を介して２次元探触子１０へ供給される。２次元探触子１０内のスイッチング回路３０はＣＰＵ２００の指令により、後述の同心円リング状振動子群を形成するように送波遅延回路と振動子の駆動パルス入力ラインを接続しており、各リング状振動子は駆動パルスが入力すると、所定の周波数で振動し、超音波を順次被検体内へ送波する。
【００１８】
被検体内へ送波された超音波は、生体内の組織や臓器の音響インピーダンスの異なる面でその一部が反射されエコーとして探触子１０方向へ反射する。このエコーを受信するために、ＣＰＵ２００は受信系を制御する。先ず送波の終了と共にスイッチング回路３０へ受信のための振動子と受波整送部を接するための切換え選択を行う。この受信の振動子選択も送波時と同様に同心円のリング状振動子群を形成するが、その詳細は後ほど説明する。この振動子切換え選択と共に、受波整送部７０に対する受信遅延時間の制御を行う。
【００１９】
これによって被検体内の浅い部位から深い部位へと超音波が伝播して行くにつれて生ずるエコーが受信され、各受信遅延回路から出力されたエコー信号は受波整送部７０の加算回路で加算され、受信ビームのエコー信号となって信号処理部８０へ出力される。信号処理部８０は、入力したエコー信号に対し前述の処理を行いＤＳＣ９０へ処理後の信号を出力する。ＤＳＣ９０は入力した信号をメモリへ記憶し、表示装置１００へ表示の同期信号に対応して記憶内容を読み出して出力する。以上の動作が終了すると、ＣＰＵ２００は超音波の送受信方向を変更して２回目、３回目、…というように順次超音波の送受信方向を変更して上記動作を繰り返す。
【００２０】
この送受信の繰り返しにおいて、超音波ビームは配列振動子面の所定位置を円錐の頂点とするように常に基点となるように多数方向へ変更される。この結果、被検体内を超音波ビームは３次元セクタスキャンすることになる。
【００２１】
次に、本発明における超音波送受信の際の振動子選択状態を詳細に説明する。図３は２次元探触子１０に内蔵された２次元配列振動子２０の中央に送受信の超音波ビームを形成する模式図を示している。図３(ａ)、図３(ｂ)に示す同心円は、この同心円状の振動子が群として選択されることを示している。つまり、各同心円を境界として、各同心円に挟まれた領域に存在する振動子群には同一の遅延時間を付与される。図３(ａ)において扇状の直線群はリング状に選択された各リング状振動子群から放射された超音波がＦ点（フォーカス点）で収束する状態、及び点Ｆから反射した超音波が各リング状振動子群へ向かう状態を示している。なお、図３(ｂ)では２次元配列振動子の数を直交するＸ方向とＹ方向とに７×７＝４９個で示してあるが、診断用には縦、横の両方向に６４×６４＝４，０９６個程度の配列を成すもので、リング状に選択される素子群はもっと微細に数多くの同心円を描くことになる。なお、Ｆ点から一つのリングを形成する各振動子までの距離は、リングの内周に位置する振動子までの距離と、リングの外周に位置する振動子までの距離とで若干の相違が生じる。したがって、リングの内周に位置する振動子とリングの外周に位置する振動子とに同一の遅延時間を与えるには、リングの内周と外周の径の差に限界を設けた方が好ましい結果を得られることとなる。
【００２２】
このリングの内周と外周の径の差が大きいと、超音波の位相の問題がクローズアップされてくることになる。すなわち、リング状振動子を形成する複数の振動子の入出力ラインはスイッチング回路によって束ね状態（共通接続）とされるため、リング状振動子のリング幅が広いと、送波フォーカスが甘くなり、また受波エコーの相殺現象が生じてしまう。つまり、整相の精度が低下することとなる。特に、受波時に被検体内からのエコーが振動子面へ斜め方向から帰ってくる場合には、リング内周側振動子とリング外周側振動子において受信エコーに位相差があるため、それらのエコーが逆位相となるほどのリング幅の場合には、それらの振動子の出力が束ね加算されることでエコー信号の低下をきたす。この影響を少なくするためには、リングの幅をエコー信号の少なくとも１／４波長以下、さらに望ましくは１／８波長程度にすると良い。
【００２３】
次に、超音波ビームを振動子面に対し斜め方向へ振る場合について説明する。図４の例は、超音波ビームを配列振動子面に対し斜め方向に振る際の素子群の選択状態を示している。図４(ａ)及び図４(ｂ)に示す同心円は、この同心円上の振動子が群として選択されることを示している。各同心円を境界として、各同心円に挟まれた領域に存在する振動子群には同一の遅延時間を付与される。上記図３に示す例では中央のリングが配列振動子面内に位置しているが、超音波ビームが振動子面と成す角度が大きくなると、図４に示すようにリングの中心が配列振動子面の端面または配列振動子面内からはみ出すようにリング状振動子群を選択することになる。
【００２４】
フォーカス点Ｆから２次元配列振動子面へ下した垂線の位置にある振動子群に最大の遅延時間を与え、その外周に位置する振動子群へ順次最大の遅延時間より短い遅延時間を与え、それらの各振動子群へフォーカス点Ｆと配列振動子面との距離に応じた遅延時間を制御すると、超音波ビームを振動子面へ垂直方向に形成することができる。したがって、上記超音波ビームを超音波の送受信サイクル毎に移動することでリニアスキャンを実行することができ、同心円状の振動子選択状態を２次元配列振動子面上でＸ方向とＹ方向との２方向へ順次移動することにより、超音波ビームを２次元走査でき、これにより被検体内を３次元リニアスキャンすることができる。
【００２５】
なお、図３(ｂ)と図４(ｂ)とを比較すると、同心円の数が相違するようになるので、遅延時間を設定または制御する整相回路の数(チャンネル数)は設定される同心円の最大数と同数を必要とする。
【００２６】
次に、本実施形態におけるセクタスキャンの送受信原理を次に説明する。通常、セクタスキャンは、複数のビームが広げた扇の骨のようになる。図１は扇の中心線方向へ超音波ビームを形成する場合、すなわち図２を側面方向から見た図を示す。超音波ビームの送信は、図１（ａ）に示すように、２次元配列振動子２０の同心円の中心に有る振動子を通り2次元配列振動子面へ垂直な直線ＢＬ１上の所定の点をフォーカス点Ｆｔとなるように各同心円上の素子群毎に所定の遅延時間を与えて超音波の送信を行う。すると、各振動子群から超音波がそのフォーカス点Ｆｔへ同位相で到達するように順次放射される。そして、体内を超音波が伝播する過程で、音響インピーダンスの異なる組織が存在すると、超音波の一部が反射し、探触子方向へ反射波（エコー）として戻ってくる。このエコーを図１（ｂ）に示すように複数の同心円状振動子群で受信する。この受信に際し、リング状振動子の選択状態を固定して、各振動子群の出力信号（エコー信号）には受波整相部７０により扇の中心に位置する直線ＢＬ１上の浅い位置から深い位置へ順次受信フォーカス点Ｆｒを移動するように遅延時間をダイナミックに変更する。この受信時には受波フォーカス点Ｆｒを直線ＢＬ１上で深さが深くなる方向へ移動するように遅延時間が制御される。また、上記したように、当然にセクタスキャンを行うには超音波ビームを扇形に振る必要がある。この超音波ビームを振動子配列面に対し傾斜させることを、本発明では以下に説明するように同心円の選択パターンを移動することで対応する。
【００２７】
ビームを扇の中心方向から偏向させる場合の送受信について図２を用いて説明する。図２（ａ）に示すように配列振動子の中心からずれた位置にある送波フォーカス点Ｆｔへ超音波が同時（同位相で）に到達するように各振動子群へ遅延時間を与えるのは上記と同様であるが、この時に、同心円状振動子群の選択が上記とは異なる。すなわち、この場合は図２（ａ）に示すように送波フォーカス点Ｆｔから配列振動子面へ下した垂線Ｌが配列振動子面と交わった位置を同心円の中心として、同心円の振動子群を選択する。この際に、フォーカス点Ｆｔの位置によって、フォーカス点Ｆｔから配列振動子面へ下した垂線がＬ１のように配列振動子から外れることもある。これによって、各振動子群から放射された超音波は同時に送波フォーカス点Ｆｔへ同時に到達する。
【００２８】
この送波により生ずるエコーの受信は図２（ｂ）に示すように行われる。受信ビームの方向は受波フォーカス点Ｆｒと２次元配列振動子２０の中心とを結ぶ直線ＢＬ２として配列振動子面へ傾斜して設定され、この受信ビームラインＢＬ２上で受波フォーカス点Ｆｒをダイナミックに移動する。今、図２（ｂ）の位置に受波フォーカス点Ｆｒを想定すると、この受波フォーカス点Ｆｒから反射したエコーを受信するために形成される同心円状振動子群の選択は、受波フォーカス点Ｆｒから振動子面へ下した垂線Ｌ１が振動子面と交差した点を中心として行われる。送波された超音波が被検体内を進行するにつれて、受波フォーカス点が受信ビームラインＢＬ２上を深い方向へ移動するが、受信ビームラインＢＬ２が配列振動子面に対し傾斜しているので、受波フォーカス点Ｆｒから配列振動子面へ下した垂線が振動子面と交わる点は振動子面上で図示では右方向へ移動し、垂線もＬ３のように移動する。この受波フォーカス点Ｆｒの移動につれて、同心リング状振動子群の選択も移動される。このように、受波フォーカス点Ｆｒを移動することで、セクタスキャンの斜め方向の１受信ビームが形成される。そして、この受信ビーム方向を送受信サイクル毎に所定角度ずつ変更することでセクタスキャンが行える。また、前記扇の中心方向と、上記傾斜方向を円錐の頂部の立体角内での多数方向とに設定して超音波走査を行えば、被検体内を３次元的にセクタスキャンすることができる。
【００２９】
２次元探触子を用いて被検体内を３次元スキャンする場合、診断に供し得る３次元像を取得するには、超音波ビーム数が非常に多くなる。このため、一つの３次元像を得るために長い計測時間を要することとなる。この計測時間を短縮するために本発明が採用する方策を次に説明する。図５は本発明における振動子と受信整相部との接続を示すブロック図である。なお、図面では一列分のみの振動子に対する構成を表わしているが、実際には２次元的に構成されるものである。
【００３０】
図５において、２０は前述の２次元配列振動子で、直交する２方向へＭ×Ｎ個の振動子が配列されたもの、３０−１，３０−２はスイッチング回路で振動子と受波整相部内の整相回路との接続のオン／オフ及び接続先の切換えを行うもの、７０−１，７０−２は受波整相部Ａ及び受波整相部Ｂで、Ｍ×Ｎ個の振動子にて受信した被検体内からのエコー信号を入力し、各々が所定方向の超音波ビーム信号を形成して出力するものである。
【００３１】
ここでスイッチング回路３０‐１及び３０−２は、各々が２次元配列振動子２０に対し一つの多重リング状振動子群を形成するように２次元配列振動子２０と受波整相部Ａ，Ｂとの選択接続を行う。選択される二つの多重リング振動子群は、その中心が微小距離だけ離される。したがって、受波整相部Ａ７０−１とＢ７０−２との双方へ共通接続される振動子が多数存在することとなる。そして、受波整相部Ａ７０−１と受波整相部Ｂ７０−２との２つの整相部は各々が相手に対し微小に異なる方向の超音波ビームを形成するように、各々の回路の遅延時間が設定され、制御される。ここで受波整相部Ａ７０−１及び受波整相Ｂ７０−２は各々Ｎｏ．１〜Ｎｏ．ＺまでのＺ個（Ｚチャンネル）の遅延回路を有している。Ｚは前述の２次元配列振動子が選択される同心円の最大数に等しい数である。
【００３２】
スイッチング回路３０−１及び３０−２の各々には図５（ｂ）に示すようなスイッチング素子ＳＷ１ｎ、ＳＷ２ｎがＭ×Ｚ個のマトリックス状に設けられ、Ｍ×Ｎ個の２次元配列振動子の各々が整相回路Ａにおける１〜Ｚチャンネルまたは整相回路Ｂにおける１〜Ｚチャンネルのいずれかの整相回路へ接続可能となっている。
【００３３】
受波整相部Ａ７０−１及び受波整相部Ｂ７０−２には図８に示す制御部２００から制御信号が供給され、それにより各チャンネルの遅延時間設定または遅延時間制御が行われ、またスイッチング回路３０−１，３０−２には制御部２００からの制御信号に基いてスイッチ制御部４０から制御信号が入力され、振動子を同心円状に選択的に受波整相部へ接続する。ここで、遅延時間の制御パターンと振動子の選択パターンは、予め制御部２００に内蔵されたＲＯＭ（Ｒｅａｄ  Ｏｎｌｙ  Ｍｅｍｏｒｙ）へ記憶されたデータによって設定される。
【００３４】
図６は図５に記載した構成による受信動作の説明図である。図６は二つのリング状振動子の各々からある特定の径以下の部分を抜き出して記載している。すなわち、受波フォーカスＦｒ１を形成するリング状振動子ＴＲ１と受波フォーカスＦｒ２を形成するリング状振動子Ｔｒ２とが接近して選択され、リング状振動子ＴＲ１の出力は受波整相部Ａ７０−１へ出力され、リング状振動子ＴＲ２の出力は受波整相部Ｂ７０−２へ出力される。受波フォーカスＦｒ１とＦｒ２がダイナミックに移動されることは図２で説明したことと同様である。
【００３５】
本実施形態は、１回の送信によって複数の受信ビームを得れば超音波走査の時間短縮を図ることができると言う公知の技術思想に基づくものであるが、２次元配列振動子に対し多重リング振動子群を選択形成してセクタスキャンするが故の課題を以下の如く解決している。１回の送信によって複数の受信ビームを得るには、上記したように二つのリング状振動子群を選択形成するが、このとき両方のリングに含まれて選択される振動子が生ずる。一つのリングを形成する振動子群は全て同一に遅延時間を与えられるが故に共通接続されるが、二つのリングに共通に含まれる振動子が１個でも存在すると、この共通に選択される振動子を介して二つのリングを形成する振動子群が全て共通接続されてしまうことになる。
【００３６】
これを防止するための回路構成を図７に示す。図７は二つのリングに共通して選択される振動子の接続を説明するための簡略図である。今リングＡ２０１とリングＢ２０２の二つにおいて、振動子素子１０１及び１０２が図７（ｂ）に示すような位置にあるものとすると振動子素子１０１はリングＡ２０１とリングＢ２０２の両方に含まれ、振動子素子１０２はリングＢにのみ含まれる。したがって、振動子素子１０１の出力は、例えば受波整相部Ａ７０−１とＢ７０−２との双方へ出力され、振動子素子１０２の出力は受波整相部Ｂ７０−２へのみ出力されねばならない。この出力のための振動子と整相回路との接続を行う回路構成を図７（ａ）に示す。図７（ａ）において、３０１ａ，３０２ａ，３０３ａ，３０４ａは電子スイッチ、３０１ｂ，３０２ｂ，３０３ｂ，３０４ｂはダイオードであり、電子スイッチのオン／オフ信号はＣＰＵ２００から供給される。
【００３７】
今、受信時のある時刻に図７（ｂ）に示すように二つのリング状振動子で超音波を受信し、二つの受信ビームを形成するとすると、ＣＰＵ２００はリングＡ２０１とリングＢ２０２との両方のリングに含まれる振動子素子１０１の出力ラインに接続された電子スイッチ３０１ａと３０２ａを閉路する信号を各スイッチへ出力し、またリングＢ２０２にのみ含まれる振動子素子１０２の出力ラインに接続された電子スイッチ３０３ａを閉路する信号を出力する。この結果、振動子素子１０１からのエコー信号は電子スイッチ３０１ａ，ダイオード３０１ｂの回路から受波整相部Ａ７０１へ、また電子スイッチ３０２ａ、ダイオード３０２ｂの回路から受波整相部Ｂ７０２へ入力される。他方、振動子素子１０２からのエコー信号は電子スイッチ３０３ａ、ダイオード３０３ｂの回路から受波整相部Ｂ７０２へ入力される。
【００３８】
以上、本発明を代表的な実施形態を挙げて説明したが、本発明は上記実施形態に限定されるものではなく、要旨を逸脱しない範囲で種々変形することは可能である。例えば、２次元配列振動子がＭ×Ｎ個である場合、全ての振動子を用いるのではなく図９に示すように、全振動子から所定の素子を間引いて選択し、例えば黒塗りの素子を選択して駆動するようにしてもよい。この間引きを行うことによりスイッチ数を少なくすることができる。また上記実施形態の説明ではリングの幅を等しくしたが、これに限定されるものではない。さらに１回の送信について２本の受信ビームを得る実施形態を上記で説明したが、受信ビームの本数はさらに増加することも可能であることは言うまでもない。
【００３９】
【発明の効果】
以上説明したように本発明によれば、探触子の２次元配列振動子へ複数のリング状振動子を形成し、各リング状振動子には同一の遅延時間を与えて送受信するようにしたので、少ない数の整相回路でセクタスキャンを行うことができ、かつ全ての振動子を送受信に寄与させるのでＳ／Ｎの良い画像を得ることができる。また本発明によれば、２次元探触子を用いて３次元セクタスキャンを行うことができる。さらに、１回の送信に対し複数の受信ビームを得るので３次元セクタスキャンを高速で行うことができる。
【図面の簡単な説明】
【図１】本発明の一実施形態により扇の中心線方向へ超音波の送受信を行う動作説明図。
【図２】本発明の一実施形態により扇の中心から外れた方向へ超音波の送受信を行う動作説明図。
【図３】本発明の一実施形態により扇の中心線方向へ超音波の送受信を行う際のリング状振動子の選択状態を示す図。
【図４】本発明の一実施形態により扇の中心線方向から外れた方向へ超音波の送受信を行う際のリング状振動子の選択状態を示す図。
【図５】一回の受信で複数方向の受信ビームを得る実施形態の装置の要部構成を示す図。
【図６】図５に示す構成における受信動作を説明する図。
【図７】図６において二つのリング振動子に共通で含まれる振動子が生ずる場合の振動子と受波整相部との接続を説明する図。
【図８】本発明の一実施形態による超音波診断装置の全体構成を示すブロック図
【図９】本発明のその他の実施形態における振動子の選択状態を説明する図。
【符号の説明】
１０…２次元探触子
２０…２次元配列振動子
３０…スイッチング回路
４０…スイッチ制御部
７０…受波整相部
Ｆｔ…送波フォーカス点
Ｆｒ…受波フォーカス点
【図１】
0004090664.tif 000002
【図２】
0004090664.tif 000003
【図３】
0004090664.tif 000004
【図４】
0004090664.tif 000005
【図５】
0004090664.tif 000006
【図６】
0004090664.tif 000007
【図７】
0004090664.tif 000008
【図８】
0004090664.tif 000009
【図９】
0004090664.tif 000010